(57)【特許請求の範囲】
【請求項１】
バッテリ給電式の駆動モータ（１３）を備えた手持ち式工作機械であって、手持ち式工作機械（１０）に解離可能に装着可能なバッテリ構成ユニット（１１）と駆動モータ（１３）とを電気的に接触接続させるための差込み連結部（５０）が設けられており、該差込み連結部（５０）がソケット（５１）を備えており、該ソケット（５１）が手持ち式工作機械（１０）の機械ケーシング（１２）に受容されていて、少なくとも２つの接点ばね（５２）を有しており、該接点ばね（５２）が互いに間隔をおいてソケット（５１）に保持されていて、バッテリ構成ユニット（１１）に構成された対応する接点面（５４）との電気的な接触接続のために働く形式のものにおいて、ソケット（５１）が機械ケーシング（１２）に対して所定の範囲内でシフト可能であり、ソケット（５１）とバッテリ構成ユニット（１１）との間に、接点面（５４）における接点ばね（５２）の正確に合わせられた接触を保証するセンタリング手段（５９）が設けられており、該センタリング手段（５９）が、機械側においてソケット（５１）における接点ばね（５２）の間に構成されたセンタリング体（５７）と、バッテリ構成ユニット（１１）の側において該バッテリ構成ユニット（１１）のコネクタケーシング（５３）と堅く結合されたガイドウェブ（５６）とによって形成されており、センタリング体（５７）にガイド開口（５９）が構成されていて、該ガイド開口（５９）にガイドウェブ（５６）が遊びなしに係合できるようになっており、センタリング体（５７）が脚（５７ａ，５７ｂ）を有しており、該脚（５７ａ，５７ｂ）が、機械ケーシング（１２）へのバッテリ構成ユニット（１１）の装着時に、ガイドウェブ（５６）の側部に接触するようになっており、さらにセンタリング体（５７）の脚（５７ａ，５７ｂ）が長手方向スロットを備えて構成されていることを特徴とする、バッテリ給電式の駆動モータを備えた手持ち式工作機械。
【請求項２】
ソケット（５１）が横方向シフト可能に機械ケーシング（１２）に受容されている、請求項１記載の手持ち式工作機械。
【請求項３】
センタリング体（５７）の脚（５７ａ，５７ｂ）がその自由端部に、ガイドウェブ（５６）のための導入傾斜部（６３）を有している、請求項１記載の手持ち式工作機械。
【発明の詳細な説明】
【０００１】
【発明の属する技術分野】
本発明は、バッテリ給電式の駆動モータを備えた手持ち式工作機械であって、手持ち式工作機械に解離可能に装着可能なバッテリ構成ユニットと駆動モータとを電気的に接触接続させるための差込み連結部が設けられており、該差込み連結部がソケットを備えており、該ソケットが手持ち式工作機械の機械ケーシングに受容されていて、少なくとも２つの接点ばねを有しており、該接点ばねが互いに間隔をおいてソケットに保持されていて、バッテリ構成ユニットに構成された対応する接点面との電気的な接触接続のために働く形式のものに関する。
【０００２】
【従来の技術】
このような形式の手持ち式工作機械は、ドイツ連邦共和国特許出願公開第３５０２４４９号明細書に基づいて公知である。この公知の手持ち式工作機械には、バッテリ構成ユニットが着脱可能に装着可能であり、この公知の手持ち式工作機械では、ケーシング固定のソケットに配置された接点ばねが、バッテリ構成ユニットの装着時に、該バッテリ構成ユニットに位置固定の接点面と接触結合するようになっている。手持ち式工作機械の使用例に応じて、バッテリ構成ユニットと手持ち式工作機械との間における回避不能なガイド遊びに基づいて、接点箇所において相対運動の生じることがあり、これによって接点が早期に摩耗してしまうことがある。
【０００３】
【発明が解決しようとする課題】
ゆえに本発明の課題は、冒頭に述べた形式の手持ち式工作機械を改良して、手持ち式工作機械とバッテリ構成ユニットとの接点箇所における相対運動に基づく接点の摩耗を回避できる手持ち式工作機械を提供することである。
【０００４】
【課題を解決するための手段】
この課題を解決するために本発明の構成では、ソケットが機械ケーシングに対して所定の範囲内でシフト可能であり、ソケットとバッテリ構成ユニットとの間に、接点面における接点ばねの正確に合わせられた接触を保証するセンタリング手段が設けられている。
【０００５】
【発明の効果】
本発明のように構成されていると、接点相互の間における相対運動を効果的に回避することができ、ひいては接点の摩耗を減じることができ、かつ接点における問題を回避することができる。
【０００６】
請求項２以下には、本願発明による手持ち式工作機械の別の有利な構成が記載されている。
【０００７】
【発明の実施の形態】
次に図面につき本発明の実施の形態を説明する。
【０００８】
図１に符号１０で示されたドリルハンマは、バッテリ構成ユニット１１を取り付けられた任意の手持ち式工作機械の１実施例である。ドリルハンマ１０は機械ケーシング１２を有しており、この機械ケーシング１２内には、特にバッテリ給電式の駆動モータ１３が設けられている。駆動モータ１３は、機械ケーシング１２から部分的に突出する駆動スピンドル１４を、図示されていない伝動装置を介して回転駆動するために働く。さらに駆動モータ１３を用いて、ドリルハンマ１０の工具受容部１５に挿入可能な工具１６は、同様に図示されていない打撃機構を介して付加的に打撃駆動されることができる。
【０００９】
機械ケーシング１２は、図１の図平面に位置する分割平面を備えた２つのシェルによって構成されている。ドリルハンマ１０の、工具受容部１５とは反対側の端部において、機械ケーシング１２にはグリップ１９が一体に成形されている。グリップ１９はほぼピストルグリップ状に成形されており、かつ引き金２１を備えたスイッチ２０を受容している。工具受容部１５の近傍において機械ケーシング１２は、緊定スロート２２を形成しており、この緊定スロート２２には補助グリップ２３が固定可能である。
【００１０】
後方のグリップ１９と前方の補助グリップ２３との間において、機械ケーシング１２は、バッテリ構成ユニット１１を収容するために構成されている。このために機械ケーシング１２には、グリップ１９の前においてドリルハンマ１０の長手方向軸線１７に対してほぼ垂直に延びているガイド面２６と、該ガイド面２６に対してほぼ垂直に方向付けられていてドリルハンマ１０の下に位置しているストッパ面２８とが構成されている。ガイド面２６は、グリップ１９の前において延びているケーシング区分２９に構成されており、このケーシング区分２９は、駆動モータ１３とは反対側の下端部で、結合ウェブ３０を介してグリップ１９の下端部１９ａと結合されている。グリップ１９、ケーシング区分２９及び結合ウェブ３０の間には、使用者が引き金２１を操作するため及びドリルハンマ１０をしっかりと保持するための開口３１が設けられている。
【００１１】
機械ケーシング１２にバッテリ構成ユニット１１を保持するために、ガイド面２６から間隔をおいて複数のガイド条片３４が設けられており、これらのガイド条片のうちの１つだけが図１に示されている。ガイド条片３４は、バッテリ構成ユニット１１を取り囲むケーシング１８に設けられた対応するガイド溝３５に、係合している。バッテリ構成ユニット１１のためのケーシング１８におけるガイド溝３５は、上方に向かって開放しているので、バッテリ構成ユニット１１はガイド条片３４をガイド溝３５に押し込むことによって、下から機械ケーシング１２に装着することができる。バッテリ構成ユニット１１の装着動作は、該バッテリ構成ユニットの上側面３８がストッパ面２８に接触するまで続けられる。バッテリ構成ユニット１１のこのロックポジションにおいて、機械ケーシング１２における差込み連結部５０から突出する接点ばね５２は、バッテリ構成ユニット１１の接点プレート５４に構成された接点面と、導電接触している。
【００１２】
機械ケーシング１２においてバッテリ構成ユニット１１をロックするために、ロック手段４４が設けられており、このロック手段は、結合ウェブ３０内に摺動可能に受容されたスライダ４５を有している。このスライダ４５は係止突起４６で、機械ケーシング１２のガイド面２６から突出しており、かつバッテリ構成ユニット１１に構成された図示されていない係止突出部と共働する。スライダ４５は、係止位置に向かってばね４８によって負荷されており、このばね４８は他方の側において機械ケーシング１２に支持されている。ばね４８は、スライダ４５の端部側に配置された係止突起４６を、相応な窓を通して機械ケーシング１２から突出させ、この結果係止突起４６はバッテリ構成ユニットのロック位置において係止突出部の後ろに形状結合的に係合する。図１にはスライダ４５が、引き戻されたポジションで示されており、このポジションにおいてはバッテリ構成ユニット１０は機械ケーシング１２においてロックされていない。
【００１３】
機械ケーシング１２とバッテリ構成ユニット１１との間に設けられた差込み連結部５０は、機械ケーシング１２に保持されていてバッテリ構成ユニット１１の押込み方向に対して横方向につまり図１の図平面に対して垂直に所定範囲内でシフト可能なソケット５１を有している。このソケット５１には複数の接点ばね５２が配置されており、これらの接点ばね５２は、バッテリ側においてコネクタケーシング５３に構成された接点プレート５４と、その両側の接点面において電気的に接触接続する。
【００１４】
図２には差込み連結部５０が詳しく示されている。この図２から分かるように、機械ケーシング１２において横方向シフト可能なソケット５１には、該ソケットに固定された接点ばね５２が設けられている。接点ばね５２はそれぞれ二重舌片５５から構成されており、この二重舌片５５は一緒になって、バッテリ構成ユニット１１の接点プレート５４の導電性の接点面のための２脚状の受容部を形成する。
【００１５】
図３から明らかなように、複数の二重舌片５５が互いに並んで配置されていてもよい。図示の実施例ではそれぞれ２つの二重舌片５５が対をなして互いに並んで配置されている。
【００１６】
さらに図２にはコネクタケーシング５３が示されており、このコネクタケーシング５３はバッテリ構成ユニットのケーシング１８に一体的に構成されている。バッテリ構成ユニット１１における接点プレート５４の間には、両方の接点プレート５４を互いに隔てているウェブ５６が設けられている。このウェブ５６は、コネクタケーシング５３の壁によって形成されており、機械ケーシング１２へのケーシング１８の装着時に横方向シフト可能なソケット５１をセンタリングするために働く。機械ケーシング１２へのケーシング１８の装着の際に、ガイドウェブ５６は、センタリング体５７において切り欠かれたガイド開口５９に係合する。センタリング体５７は脚５７ａ，５７ｂを備えており、両方の脚５７ａ，５７ｂはその間にガイド開口５９を形成していて、バッテリ構成ユニット１１の装着時にガイドウェブ５６の側面５６ａ，５６ｂに接触する。脚５７ａ，５７ｂはその自由端部に、内方に向かってガイド開口５９に向かって方向付けられた、ガイドウェブ５６のための導入傾斜部６３を有している。
【００１７】
図３から明らかなように、センタリング体５７の脚５７ａ，５７ｂは長手方向スロットを備えて構成されていてもよく、このように構成されていると、ガイドウェブ５６に対する座りもしくは接触状態を付加的に改善することができる。ソケット５１の横方向シフト可能性に基づいて、機械ケーシング１２へのバッテリ構成ユニット１１のケーシング１８の装着時に、ソケット５１とコネクタケーシング５３との間におけるセンタリングが生ぜしめられる。このように構成されていることによって、ガイド３３における回避不能なガイド遊びに基づいて生じることのあるバッテリ構成ユニット１１のシフトは、接点５２，５４の間における相対運動を生ぜしめない。
【００１８】
図５には、コネクタケーシング５３を備えた、バッテリ構成ユニット１１のケーシング１８の上側部分が示されている。片持ち式の接点プレート５４はハンマドリル１０に向けられた縁部に、補強部６０を備えている。接点プレート５４の間にはガイドウェブ５６が配置されており、このガイドウェブ５６は、接点プレート５４に対してほぼ平行に延びている。さらに別の接点６１，６２が設けられていてもよく、これらの接点６１，６２は、例えば給電装置との接触接続のために働き、したがってこの接点６１，６２においても接点間における不都合な相対運動は生じない。
【００１９】
本発明は図示の実施例に限定されるものではない。特に、ガイド面は接触接続のために適した他の接点形成体例えば接点ピンに構成されていてもよく。接点ばねはまたバッテリ構成ユニット１１に配置されていてもよい。
【図面の簡単な説明】
【図１】バッテリ構成ユニットを装着されたドリルハンマを部分的に縦断面して示す図である。
【図２】差込み連結部を断面して示す図である。
【図３】ドリルハンマ側における差込み連結部を示す側面図である。
【図４】ドリルハンマ側における差込み連結部を示す正面図である。
【図５】バッテリ構成ユニット側における差込み連結部を示す斜視図である。
【符号の説明】
１０  ドリルハンマ、  １１  バッテリ構成ユニット、  １２  機械ケーシング、  １３  駆動モータ、  １４  駆動スピンドル、  １５  工具受容部、  １６  工具、  １７  長手方向軸線、  １８  ケーシング、  １９  グリップ、  １９ａ  下端部、  ２０  スイッチ、  ２１  引き金、  ２２  緊定スロート、２３  補助グリップ、  ２６  ガイド面、  ２８  ストッパ面、  ２９  ケーシング区分、  ３０  結合ウェブ、  ３１  開口、  ３４  ガイド条片、  ３５ガイド溝、  ３８  上側面、  ４４  ロック手段、  ４５  スライダ、  ４６係止突起、  ４８  ばね、  ５０  差込み連結部、  ５１  ソケット、  ５２接点ばね、  ５３  コネクタケーシング、  ５４  接点プレート、  ５５  二重舌片、  ５６  ガイドウェブ、  ５６ａ，５６ｂ  側面、  ５７  センタリング体、  ５７ａ，５７ｂ  脚、  ５９  ガイド開口、  ６０  補強部、  ６１，６２  接点、  ６３  導入傾斜部
【図１】
0003949189.tif 000002
【図２】
0003949189.tif 000003
【図３】
0003949189.tif 000004
【図４】
0003949189.tif 000005
【図５】
0003949189.tif 000006